(57)【要約】      （修正有）【課題】印刷済みのデータと印刷したいデータを比較することにより、内容の異なるページを差し替えて印刷することが可能な印刷装置を提供する。【解決手段】印刷済みのデータである第１の印刷データの指定を受付け、このデータに対して内容を変更する処理を行い第２の印刷データとして保存する。給紙機構にセットされた前記印刷済みのデータの第１の印刷データと前記保存されている第２の印刷データで差分ページの有無を判定し、差分ページが存在すると判定された場合に、第２の印刷データを印刷する差分ページ印刷手段と、差分ページが存在しないと判定された場合に、前記給紙手段により給紙した第１の印刷データを、前記差分ページ印刷手段により印刷された差分ページと同じ排紙機構に排紙する排紙手段と、を有する。【選択図】図５
2016101738.tif 000002
【特許請求の範囲】
【請求項１】
印刷済みのデータである第１の印刷データの指定を受付ける第１の印刷データ受付手段と、
前記第１の印刷データから出力された印刷物に対してページを差し替えて印刷するデータである第２の印刷データの指定を受付ける第２の印刷データ受付手段と、
前記第１の印刷データと前記第２の印刷データで異なるページを取得する差分ページ取得手段と、
給紙機構にセットされた前記第１の印刷データから出力された印刷物を前記給紙機構から給紙する給紙手段と、
前記給紙手段により給紙したページに対応する前記差分ページの有無を判定する判定手段と、
前記判定手段により差分ページが存在すると判定された場合に、前記差分ページを印刷する差分ページ印刷手段と、
前記判定手段により差分ページが存在しないと判定された場合に、前記給紙手段により給紙した印刷物を、前記差分ページ印刷手段により印刷された差分ページと同じ排紙機構に排紙する排紙手段と、
を有することを特徴とする印刷装置。
【請求項２】
前記排紙手段は、前記差分ページ印刷手段により差分ページが印刷された場合、前記給紙手段により給紙された前記印刷されたページに対応する印刷物を、前記判定手段により差分ページが存在しないと判定された場合に排紙する排紙機構とは異なる排紙機構に排紙することを特徴とする請求項１記載の印刷装置。
【請求項３】
前記差分ページ取得手段により取得される差分ページが、所定数を超える場合には、印刷を継続するか否かの確認を行う継続確認手段を更に有することを特徴とする請求項１または２記載の印刷装置。
【請求項４】
前記給紙手段は、前記給紙機構にセットされた前記第１の印刷データから出力された印刷物を１ページごとに給紙するものであって、
前記判定手段は、前記印刷物の１ページごとに判定するものであることを特徴とする請求項１乃至３のいずれか１項に記載の印刷装置。
【請求項５】
印刷済みのデータである第１の印刷データの指定を受付ける第１の印刷データ受付ステップと、
前記第１の印刷データから出力された印刷物に対してページを差し替えて印刷するデータである第２の印刷データの指定を受付ける第２の印刷データ受付ステップと、
前記第１の印刷データと前記第２の印刷データで異なるページを取得する差分ページ取得ステップと、
給紙機構にセットされた前記第１の印刷データから出力された印刷物を前記給紙機構から給紙する給紙ステップと、
前記給紙ステップにより給紙したページに対応する前記差分ページの有無を判定する判定ステップと、
前記判定ステップにより差分ページが存在すると判定された場合に、前記差分ページを印刷する差分ページ印刷ステップと、
前記判定ステップにより差分ページが存在しないと判定された場合に、前記給紙ステップにより給紙した印刷物を、前記差分ページ印刷ステップにより印刷された差分ページと同じ排紙機構に排紙する排紙ステップと、
を有することを特徴とする印刷装置の制御方法。
【請求項６】
印刷装置で読み取り可能なプログラムであって、
前記印刷装置を、
印刷済みのデータである第１の印刷データの指定を受付ける第１の印刷データ受付手段と、
前記第１の印刷データから出力された印刷物に対してページを差し替えて印刷するデータである第２の印刷データの指定を受付ける第２の印刷データ受付手段と、
前記第１の印刷データと前記第２の印刷データで異なるページを取得する差分ページ取得手段と、
給紙機構にセットされた前記第１の印刷データから出力された印刷物を前記給紙機構から給紙する給紙手段と、
前記給紙手段により給紙したページに対応する前記差分ページの有無を判定する判定手段と、
前記判定手段により差分ページが存在すると判定された場合に、前記差分ページを印刷する差分ページ印刷手段と、
前記判定手段により差分ページが存在しないと判定された場合に、前記給紙手段により給紙した印刷物を、前記差分ページ印刷手段により印刷された差分ページと同じ排紙機構に排紙する排紙手段と、
を有することを特徴とする印刷装置として機能させるためのプログラム。
【発明の詳細な説明】
【技術分野】
【０００１】
本発明は、印刷装置、印刷装置の制御方法、およびプログラムに関する。
【背景技術】
【０００２】
アプリケーションを利用して電子ファイルを作成することが行われている。ユーザは一旦電子ファイルを作成した後、誤記などに気づき、電子ファイルを修正することが行われている。
【０００３】
ページ数が多い場合や、他人が修正した場合などは、修正箇所を見つけることが困難なケースがある。
【０００４】
このような場合に、差分を発見しやすくする技術として特許文献１が提案されている。
【先行技術文献】
【特許文献】
【０００５】
【特許文献１】特開２０１２−２０３６９３号公報
【発明の概要】
【発明が解決しようとする課題】
【０００６】
特許文献１では、差分のあるページ、差分のないページを異なる排紙トレイに出力し、差分を発見しやすくするようになっている。しかしながら出力後の印刷物の確認とそのマージを行うのは手動となっているため、処理が煩雑となる。
【０００７】
また、資料を印刷した後で、誤記などに気づき再印刷するケースがよくある。誤ったページだけ再印刷して差し替えることが行われるが、その時に印刷ページが大量であれば、中から修正したページだけ、手動で差し替えるのは手間がかかる。手動のため、不正に差し替えてしまう可能性もある。
【０００８】
また、修正後のデータを全て印刷しなおすと、正常に印刷されているページに対して同じ印刷物が出力されるため、紙・インクが無駄になってしまう。
【０００９】
そこで本発明では、印刷済みのデータと印刷したいデータを比較することにより、内容の異なるページを差し替えて印刷することが可能な印刷装置を提供することを目的とする。
【課題を解決するための手段】
【００１０】
印刷済みのデータである第１の印刷データの指定を受付ける第１の印刷データ受付け手段と、前記印刷物に対してページを差し替えて印刷するデータである第２の印刷データの指定を受付ける第２の印刷データ受付手段と、前記第１の印刷データと前記第２の印刷データで異なるページを取得する差分ページ取得手段と、給紙機構にセットされた前記第１の印刷データから出力された印刷物を前記給紙機構から給紙する給紙手段と、前記給紙手段により給紙したページに対応する前記差分ページの有無を判定する判定手段と、前記判定手段により差分ページが存在すると判定された場合に、前記差分ページを印刷する差分ページ印刷手段と、前記判定手段により差分ページが存在しないと判定された場合に、前記給紙手段により給紙した印刷物を、前記差分ページ印刷手段により印刷された差分ページと同じ排紙機構に排紙する排紙手段と、を有することを特徴とする。
【発明の効果】
【００１１】
本発明によれば、印刷済みのデータと印刷したいデータを比較することにより、内容の異なるページを差し替えて印刷することが可能な印刷装置を提供することが可能となる。
【図面の簡単な説明】
【００１２】
【図１】本発明における印刷装置を含む印刷システムのシステム構成の一例を示すシステム構成図である。
【図２】本発明における印刷装置の主要部の構成を示すハード機能ブロック図である。
【図３】本発明における印刷装置のハードウェア構成を示す側断面図である。
【図４】本発明における印刷装置のソフトウェア構成を示すソフト機能ブロック図である。
【図５】本発明における印刷装置の全体処理の一例を示すフローチャートである。
【図６】本発明における印刷装置の差分印刷処理の一例を示すフローチャートである。
【図７】本発明における印刷装置の印刷データ選択画面の一例を示す図である。
【図８】本発明における印刷装置の継続確認画面の一例を示す図である。
【図９】本発明における印刷装置の差分印刷に係る設定項目の一例を示す図である。
【発明を実施するための形態】
【００１３】
以下、図面を参照して、本発明の実施形態を詳細に説明する。
【００１４】
図１は、本発明における印刷装置を含む印刷システムのシステム構成の一例を示すシステム構成図である。
【００１５】
本実施の形態における複合機能装置は、データ受信機能を有する複写機であり明細書中の印刷装置と同じものをいう。
【００１６】
図１に示すように、複写機１００１（印刷装置）は、クライアントコンピュータ１００３とともに、イーサネットなどからなるＬＡＮ１００２に収容されている。複写機１００１は、コピー機能を有するとともに、ＰＤＬ（Ｐａｇｅ  Ｄｅｓｃｒｉｐｔｉｏｎ  Ｌａｎｇｕａｇｅ）機能を有するので、ＬＡＮ１００２上に接続されているコンピュータから指示されたＰＤＬ画像を受信して印刷することが可能である。複写機１００１は、ＬＡＮ１００２上に接続されているコンピュータから指示されたＰＤＬ画像を、複写機１００１内のハードディスク２００４（図２）の指定したボックス領域に保存することが可能であり、ボックス領域に保存された画像を印刷することが可能になっている。
【００１７】
またボックス領域を利用せず、複写機１０００１内のメモリ領域を利用して印刷データを印出力することも可能である。
【００１８】
図２は、本発明における印刷装置の主要部の構成を示すハード機能ブロック図である。
【００１９】
複写機１００１はコントローラユニット２０００を含み、コントローラユニット２０００には、画像入力デバイスであるスキャナ２０７０や画像出力デバイスであるプリンタ２０９５が接続されるとともに、操作部２０１２が接続される。
【００２０】
コントローラユニット２０００は、スキャナ２０７０で読み取られた画像データをプリンタ２０９５により印刷出力するコピー機能を実現するための制御を行うとともに、ＬＡＮ１００６に接続することによって、画像情報やデバイス情報の入出力を行うための制御を行う。
【００２１】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上で、ＨＤＤ（ハードディスクドライブ）２００４に格納されているアプリケーションプログラムを実行し、これによって各種処理を実行する。
【００２２】
このＣＰＵ２００１の作業領域としてはＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【００２３】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージバスインタフェース）２００５が接続される。
【００２４】
操作部Ｉ／Ｆ２００６は、タッチパネルを有する操作部２０１２とのインタフェースであり、操作部２０１２に表示すべき画像データを操作部２０１２に対して出力する。また、操作部Ｉ／Ｆ２００６は、操作部２０１２においてユーザにより入力された情報をＣＰＵ２００１に送出する。
【００２５】
次に、ネットワークＩ／Ｆ２０１０は、ＬＡＮ１００２に接続され、ＬＡＮ１００２を介してＬＡＮ１００２上の１００３との間で入出力を行う。
【００２６】
イメージバスＩ／Ｆ２００５は、システムバス２００７と、画像データを高速で転送する画像バス２００８とを接続し、データ形式を変換するためのバスブリッジである。画像バス２００８は、ＰＣＩバスまたはＩＥＥＥ１３９４から構成される。
【００２７】
画像バス２００８上には、ラスタイメージプロセッサ（以下、「ＲＩＰ」という）２０６０、デバイスＩ／Ｆ２０２０、スキャナ画像処理部２０８０、プリンタ画像処理部２０９０、画像回転部２０３０、および画像圧縮部２０４０が設けられる。
【００２８】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。
【００２９】
プリンタ画像処理部２０９０は、プリント出力画像データに対してプリンタ２０９５に応じた補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００３０】
次に、スキャナ２０７０およびプリンタ２０９５のハードウェア構成について図３を参照して説明する。
【００３１】
図３は、本発明における印刷装置のハードウェア構成を示す側断面図である。
【００３２】
図２に示すスキャナ２０７０およびプリンタ２０９５のハードウェア構成を示す側断面図である。
【００３３】
スキャナ２０７０とプリンタ２０９５とは、図３に示すように、一体的に構成されている。スキャナ２０７０は、原稿給紙ユニット２５０を搭載し、原稿給紙ユニット２５０は、原稿を先頭から順に１枚ずつプラテンガラス２１１上へ給送し、各原稿の読取動作が終了する毎に、その原稿をプラテンガラス２１１から排出トレイ（図示せず）に排出する。
【００３４】
スキャナ２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、「ＣＣＤ」という）２１８に導かれ、原稿上の画像がＣＣＤ２１８の撮像面上に結像される。ＣＣＤ２１８は、撮像面に結像された画像を電気信号に変換し、この電気信号が所定の処理施された後に制御装置（図示せず）に入力される。
【００３５】
プリンタ２０９５は、レーザドライバ３２１を有し、レーザドライバ３２１は、制御装置から入力された画像データに基づきレーザ発光部３２２を駆動する。これにより、レーザ発光部３２２からは画像データに応じたレーザ光が発光され、このレーザ光は走査されながら感光ドラム３２３上に照射される。
【００３６】
感光ドラム３２３上には、照射されたレーザ光により静電潜像が形成され、この静電潜像は現像器３２４から供給されたトナーによりトナー像として可視像化される。レーザ光の照射タイミングに同期して、カセット３１１から記録紙が搬送路を介して感光ドラム３２３と転写部３２５との間に給紙され、感光ドラム３２３上のトナー像は転写部３２５により給紙された記録紙上に転写される。
【００３７】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、３３１、３３２の昇降移動（自走）が可能なオプショントレイを有し、それぞれ異なる排紙トレイ（排紙機構）に排紙できる機能を有する。
【００３８】
図４は、本発明における印刷装置のソフトウェア構成を示すソフト機能ブロック図である。
【００３９】
印刷装置４０１は、特徴的な構成として、印刷データ選択画面表示部４０２、印刷済みデータ受付部４０３、差替えデータ受付部４０４、差分印刷部４０５、差分ページ印刷部４０６、および排紙制御部４０７を有する。
【００４０】
印刷データ選択画面４０２は、図７にて後述するが、本発明の特徴である差分印刷を行う際に印刷データを選択するための画面である。印刷済みデータ受付部４０３および差替えデータ受付部４０４は、印刷データ選択画面４０２にて指定を受付け可能となっている。
【００４１】
印刷済みデータ４０３は、既に印刷が済んでいるデータの受付けを行い、差替えデータ４０４は、印刷済みデータに修正を加えたデータを指定する。
【００４２】
差分印刷部４０５は、図６にて後述するが、印刷済みのデータ（第１の印刷データ）と、修正済のデータ（第２の印刷データ）を比較することで、差分ページ印刷部４０５が内容の異なるページは差し替え、変更の無いページは、印刷されずに、給紙された第１の印刷データに対応する印刷物のページがそのまま排紙されることになる。
【００４３】
排紙制御部４０７は、給紙した用紙の排紙を制御する。具体的には、差替えページとして新規に印刷された場合は、印刷済みデータに対応する印刷物に対応する印刷物と同じ排紙トレイに排紙し、差し替えられた印刷済みデータに対応する印刷物の差し替えられたページは、差替えページとは異なる排紙トレイに排紙する。
【００４４】
図５は、本発明における印刷装置の全体処理の一例を示すフローチャートである。
【００４５】
ユーザにより差替え印刷が指定された時に処理が開始される。ステップＳ５０１で、印刷データ選択画面を印刷装置の操作パネルに表示する。表示イメージについて図７を利用して説明する。
【００４６】
図７は、本発明における印刷装置の印刷データ選択画面の一例を示す図である。
【００４７】
印刷データ選択画面７０１は、ＢＯＸ１という名称のボックス領域を利用して差分印刷を受け付け可能な画面である。
【００４８】
データ名７０４には、例えばＢＯＸ１を利用して印刷可能なデータ名（ファイル名）が表示されている。必ずしもデータはＢＯＸ１に存在する必要はなく、本画面を操作するユーザが利用できるデータが表示されるようにしてもよい。
【００４９】
ここでは、印刷済みのデータＡに対して、データＡを修正した印刷データＡ＋が選択されているが、別の印刷データ（例えばデータＢ）を指定して差分印刷することもできる。
【００５０】
印刷済みデータ７０２は、既にこの印刷装置を利用して印刷されたデータを指定する（第１の印刷データ受付手段）。差替データ７０３は、印刷済みデータ７０２と差分を比較される印刷データを指定する（第２の印刷データ受付手段）。
【００５１】
ユーザは、印刷済みデータ７０２で指定した印刷データに対応する印刷物を給紙トレイ（給紙機構）にセットし、実行７０５を押下する。実行７０５が押下されると印刷済みデータ７０２と差替データ７０３を比較し、内容の異なるページを印刷し、給紙トレイにセットされた印刷物の対応するページと差し替えて排紙する処理が行われる。
【００５２】
なお、クリア７０５が押下されると、選択された印刷データ（印刷済データ、差替データ）の選択状態がクリアされる。戻る７０６が押下されると、不図示の前画面に戻る。スクロールバー７０７が選択されると、データ名７０４の表示がスクロールされる。図５の説明に戻る。
【００５３】
ステップＳ５０２では、印刷済みデータの選択を受付け（印刷済データ７０２）、ステップＳ５０３では、修正データの選択を受付け（差替データ７０３）を受付ける。
【００５４】
ここでユーザは、印刷済みデータ（実施例では、データＡ）の印刷物を印刷装置の給紙トレイにセットする。印刷物をセットするのは、このタイミングに限ったものではなく、ステップＳ５０４の印刷実行が選択されるまでにセットされていればよい。
【００５５】
ステップＳ５０４では、印刷実行（実行７０５）の選択を受付けると、ステップＳ５０５に進み、差分印刷処理が開始される。
【００５６】
図６は、本発明における印刷装置の差分印刷処理の一例を示すフローチャートである。
【００５７】
差分印刷が実行されると、ステップＳ６０１で、印刷済みデータである第１の印刷データと、差替データである第２の印刷データの比較を行う。具体的には、第１の印刷データと第２の印刷データの画像データ（ラスタイメージなど）を１ページずつ比較し、差分のあるデータを取得し、即ち差替え印刷を行うページをＨＤＤ２００４に保存する（差分ページ取得手段）。
【００５８】
ステップＳ６０２で、差分ページ数が所定数より少ないかどうかの判定を行う。差分ページのページ数や割合を判定するかどうかは、図９にて後述する設定項目で設定により異なるが、本フローでは、所定のページ数が設定されているものとして説明を行う。
【００５９】
所定数より少ない（所定数以下、所定数未満のどちらでもよい）場合は、ステップＳ６０５に進み、所定数より多い場合は、ステップＳ６０３に進み継続メッセージを表示する。継続メッセージの一例を図８を利用して説明する。
【００６０】
図８は、本発明における印刷装置の継続確認画面の一例を示す図である。
【００６１】
継続確認画面８０１は、差分ページの数が所定枚数より多い場合もしくは所定の割合を超える場合に表示される。
【００６２】
メッセージ８０２では、図９の設定に応じて「差分ページが５０％を超えています。」や「差分ページが１０枚を超えています。」といった表示がされる。
【００６３】
ユーザにより差分印刷を中止するか継続するかの指定を受付ける。中止８０３が押下されると差分印刷が中止され、継続８０４が押下されると差分印刷が継続される。図６の説明に戻る。
【００６４】
ステップＳ６０４では、ユーザによる指定を判定し、中止が選択されたと判定された場合は、ＮＯとなり処理を終了し、継続が選択された場合は、ステップＳ６０５に進む。
【００６５】
ステップＳ６０５では、給紙トレイから１枚ずつ給紙を行い、ステップ６１１で印刷物が無くなるまで処理を繰り返す。
【００６６】
ステップＳ６０６は、給紙されたページに対応する差分データの有無をＨＤＤ２００４に存在するかどうかによって確認する。印刷装置は、給紙した枚数と第１の印刷データのページ数を対応付けておく。（例えば現在の給紙は３枚目で、第１の印刷データの３ページ目など）
【００６７】
給紙された印刷物のページとＨＤＤ２００４に格納された差分データを比較し、一致する差分データが無い場合（第１の印刷データから第２の印刷データで変更なし）、ステップＳ６０７に進み、給紙トレイから給紙した印刷物の用紙をそのまま排紙トレイＡに出力（排紙）してステップＳ６１１に進む。
【００６８】
排紙トレイＡとは、給紙トレイにセットされた印刷物に差分ページを差し替えて印刷された印刷物を排紙するトレイのことである。これに対して排紙トレイＢとは、給紙トレイにセットされた印刷物から不要となったページを給紙するトレイのことである。
【００６９】
ステップＳ６０６で差分ページがあったと判定された場合、ステップＳ６０８に進み、差分ページを印刷する。ステップＳ６０９で、印刷した差分ページを排紙トレイＡに出力し、一方、不要となる給紙した用紙には、印刷せずそのまま、排紙トレイＡとは異なる排紙トレイＢに出力して、ステップＳ６１１に進む。
【００７０】
なお、本実施例では、差分データを印刷した場合、排紙トレイを分けるようにしたが、差分データが印刷された場合、設定により、不要となった給紙された用紙を、他の排紙とは異なる向き（例えば他の排紙がＡ４縦であれば、横となるＡ４横として出力する）に出力することもできる。
【００７１】
このように、第１の印刷データに対応する印刷済みの印刷物を給紙トレイにセットし、第２の印刷データとの差分のページを印刷物の対応するページと差し替えることにより、変更されたページだけを印刷するだけで、第２の印刷データを印刷した場合と同じ印刷物を得ることができる。
【００７２】
図９は、本発明における印刷装置の差分印刷に係る設定項目の一例を示す図である。
【００７３】
不図示の画面からユーザや管理者が設定することができ、設定された内容がＨＤＤ２００４に記憶されたものである。
【００７４】
設定テーブル９０１には、設定項目９０２、設定値９０３、および備考９０４が記憶されている。
【００７５】
設定項目９０２として、「しきい値チェック」および「排紙」が設定されている。しきい値チェックは、「する／しない」の設定の他、しきい値を「割合」とするのか「ページ数」とするのかの指定を行うことができる。ここで設定された内容は、図６のステップＳ６０２の判定に利用される。
【００７６】
設定項目９０２の「排紙」では、差分データを差し替えて印刷した場合に、差し替えられた印刷物を別のトレイに排紙するのか、別の向きで排紙するのかの設定がされている。ここで設定された内容は、図６のＳ６０６〜Ｓ６１０の処理に利用される。
【００７７】
以上実施例について説明したが、上述した各種データの構成及びその内容はこれに限定されるものではなく、用途や目的に応じて、様々な構成や内容で構成されることは言うまでもない。
【００７８】
また、本発明におけるプログラムは、各フローチャートにおける処理方法をコンピュータが実行可能なプログラムである。なお、本発明におけるプログラムは各装置の処理方法ごとのプログラムであってもよい。
【００７９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００８０】
この場合、記録媒体から読み出されたプログラム自体が本発明の新規な機能を実現することになり、そのプログラムを記録した記録媒体は本発明を構成することになる。
【００８１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００８２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８４】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００８５】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００８６】
１００１  複写機（印刷装置）
１００２  ＬＡＮ
１００３  クライアントコンピュータ
【図１】
2016101738.tif 000003
【図２】
2016101738.tif 000004
【図３】
2016101738.tif 000005
【図４】
2016101738.tif 000006
【図５】
2016101738.tif 000007
【図６】
2016101738.tif 000008
【図７】
2016101738.tif 000009
【図８】
2016101738.tif 000010
【図９】
2016101738.tif 000011